(57)【要約】【課題】相手電流差動リレーの種々データを迅速に得ることができる電流差動リレーを提供する。【解決手段】送電線Ｌの保護区間の各端に設置され、送電線Ｌに流れる自端（１０１）のサンプリング電流データを相手端（１０２）に送信する送信処理および送電線Ｌに流れる相手端（１０２）のサンプリング電流データを受信する受信処理のそれぞれを２０４８ｋｂｐｓ以上の伝送速度を有する伝送路を介して行うとともに、これらのサンプリング電流データが載せられる伝送フレームの残りの領域を利用し、表示部１０３を介在させた情報授受を可能とするＨＭＩ部９から発信される表示関連データを載せて伝送する。【選択図】        図１
2009027909.tif 000002
【特許請求の範囲】
【請求項１】
送電線の保護区間の各端に設置され、前記送電線に流れる自端のサンプリング電流データを所定の伝送路を介して相手端に送信する送信処理および該送電線に流れる相手端のサンプリング電流データを該伝送路を介して受信する受信処理のそれぞれを行う伝送データ処理部と、自端が検出したサンプリング電流データと相手端から伝送されたサンプリング電流データとの差電流を演算する差動演算部と、を備え、前記演算された差電流に基づいて前記保護区間内の事故の有無を検出する電流差動リレーにおいて、
表示装置を介在させた情報授受を可能とするヒューマン・マシン・インターフェース部を設けるとともに、前記伝送路を２０４８ｋｂｐｓ以上の伝送速度を有する伝送路として構成し、
前記伝送データ処理部は、前記伝送路で用いられる伝送フレームに前記サンプリング電流データを載せて伝送するとともに、該サンプリング電流データが載せられた前記伝送フレームの残りの領域を利用して前記ヒューマン・マシン・インターフェース部から発信される表示関連データを伝送する
ことを特徴とする電流差動リレー。
【請求項２】
前記表示関連データは、
自端における前記ヒューマン・マシン・インターフェース部から発信される整定値送信要求と、
前記整定値送信要求の応答信号として相手端の前記ヒューマン・マシン・インターフェース部から発信される整定値と、
を含むことを特徴とする請求項１に記載の電流差動リレー。
【請求項３】
前記表示関連データは、
自端における前記ヒューマン・マシン・インターフェース部から発信されるイベントログ送信要求と、
前記イベントログ送信要求の応答信号として相手端の前記ヒューマン・マシン・インターフェース部から発信されるイベントログと、
を含むことを特徴とする請求項１または２に記載の電流差動リレー。
【請求項４】
前記表示関連データは、前記ヒューマン・マシン・インターフェース部から発信されるリレー要素の状態及び装置入出力信号を含むことを特徴とする請求項１から３のいずれか１項に記載の電流差動リレー。
【請求項５】
前記表示関連データは、前記ヒューマン・マシン・インターフェース部から発信される計測値情報を含むことを特徴とする請求項１から４のいずれか１項に記載の電流差動リレー。
【請求項６】
前記表示関連データは、前記ヒューマン・マシン・インターフェース部から発信されるソフトウェアのバージョン情報を含むことを特徴とする請求項１から５のいずれか１項に記載の電流差動リレー。
【請求項７】
前記表示関連データは、
前記ヒューマン・マシン・インターフェース部から発信される整定値設定要求と、
前記整定値設定要求を受信した相手端の前記ヒューマン・マシン・インターフェース部から発信される整定値設定結果と、
を含むことを特徴とする請求項１から６のいずれか１項に記載の電流差動リレー。
【請求項８】
自端の時刻をＧＰＳ受信機から受信したＧＰＳ時刻に時刻同期させる時刻同期部をさらに備え、
前記表示関連データとして相手端に発信されるデータには、前記時刻同期部からの時刻情報が含まれることを特徴とする請求項１から７のいずれか１項に記載の電流差動リレー。
【請求項９】
ＧＰＳ時刻に基づく時刻同期処理が行われた時刻情報に基づいて自端の時刻を同期させる時刻同期部をさらに備え、
前記表示関連データとして自端が受信するデータには、前記時刻情報が含まれることを特徴とする請求項１から７のいずれか１項に記載の電流差動リレー。
【発明の詳細な説明】
【技術分野】
【０００１】
本発明は、送電線の保護区間の各端に設けられ、送電線に流れる自端のサンプリング電流データを所定の伝送路を介して相手端に送信するとともに、送電線に流れる相手端のサンプリング電流データを当該伝送路を介して受信し、自端が検出したサンプリング電流データと相手端から伝送されたサンプリング電流データとの差電流を求めて保護区間内の事故を検出する電流差動リレーに関するものである。
【背景技術】
【０００２】
このような構成の電流差動リレーにおいて、電流差動リレー間のデータ伝送に関しては、自装置と相手装置がそれぞれ各相電流データを３０°周期でサンプリングして、そのサンプリング電流データを伝送速度５４ｋｂｐｓ（又は６４ｋｂｐｓ）の伝送路で相互に送受信する。そして、自装置のサンプリング電流データと相手装置のサンプリング電流データから差電流値を演算し、この差電流値が所定値を越えている場合に事故と判定する。そしてさらに、伝送情報の空きビットに電流差動リレーのＯＮ／ＯＦＦ情報（正および負の情報）を載せ、受信側で伝送異常の有無を判定したり、保護装置等の装置動作情報の判定に使用したりしている（例えば、特許文献１参照）。この方法は、特許文献１にも記載されているように伝送異常の有無や装置動作の状態判定を行う場合には好適なものである。
【０００３】
【特許文献１】特開２００５−１７６４４０号公報（図３Ａ）
【発明の開示】
【発明が解決しようとする課題】
【０００４】
しかしながら、上記特許文献１にも記載されているような従来の伝送方法は、伝送異常の有無や装置動作の状態判定を行う場合に適用できるが、リレー動作時に相手装置内部の情報を取得して故障解析を行う場合やリレーの保守を行う場合のデータ取得には適さない。そして、従来、電流差動リレーが動作した時に相手装置のデータを得て解析を行うには、相手装置の設置場所まで出向き、装置から直接データを取得するか、或いは各変電所に遠方通信可能な監視制御システム等を設け、リレーとの接続インターフェースを設ける必要があった。
【０００５】
このように従来の電流差動リレーでは、リレー動作時の解析を行う目的で、相手装置の整定値、リレー要素の状態及び装置入出力信号を取得するためには、事故発生毎に自装置から数１０ｋｍ離れた相手装置の場所まで行くか、或いは予め特別な監視制御システム等を設けておく必要があり、データ解析を行って適切な処置を行うまでに多くの時間を要し、設備投資が必要になるといった課題があった。
【０００６】
この発明は、上述の課題を解決するためになされたもので、サンプリング電流データを伝送する目的で従来使用されていた低速の伝送路を、より高速な伝送路に換装するとともに、当該換装された伝送路上の空き領域を利用して種々データを効果的に伝送することにより、相手装置の設置場所に移動することなく、また特別な監視制御システム等を設ける必要なく、迅速に相手電流差動リレーの種々データを得ることができる電流差動リレーを提供することを目的とする。
【課題を解決するための手段】
【０００７】
上述した課題を解決し、目的を達成するために、本発明の電流差動リレーは、送電線の保護区間の各端に設置され、前記送電線に流れる自端のサンプリング電流データを所定の伝送路を介して相手端に送信する送信処理および該送電線に流れる相手端のサンプリング電流データを該伝送路を介して受信する受信処理のそれぞれを行う伝送データ処理部と、自端が検出したサンプリング電流データと相手端から伝送されたサンプリング電流データとの差電流を演算する差動演算部と、を備え、前記演算された差電流に基づいて前記保護区間内の事故の有無を検出する電流差動リレーにおいて、表示装置を介在させた情報授受を可能とするヒューマン・マシン・インターフェース部を設けるとともに、前記伝送路を２０４８ｋｂｐｓ以上の伝送速度を有する伝送路として構成し、前記伝送データ処理部は、前記伝送路で用いられる伝送フレームに前記サンプリング電流データを載せて伝送するとともに、該サンプリング電流データが載せられた前記伝送フレームの残りの領域を利用して前記ヒューマン・マシン・インターフェース部から発信される表示関連データを伝送することを特徴とする。
【発明の効果】
【０００８】
この発明によれば、サンプリング電流データを伝送するための伝送フレームに載せて、サンプリング電流データ以外の伝送諸データ（表示関連データ）を伝送するので、新たに特別な監視制御システム等を設備することなく、また相手装置の設置場所に移動することなく、迅速に一方の変電所設置のリレーから相手端に設置されているリレーの種々データを得ることができ、リレー動作時の解析機能を向上させるという効果を奏する。
【発明を実施するための最良の形態】
【０００９】
以下に、本発明にかかる電流差動リレーの実施の形態を図面に基づいて詳細に説明する。なお、この実施の形態によりこの発明が限定されるものではない。
【００１０】
実施の形態１．
図１はこの発明にかかる電流差動リレーの実施の形態１のシステム構成図である。図１において、送電線Ｌの保護区間の両端には、２基の電流差動リレーがそれぞれ設置され、送電線Ｌに接続されている。これらの電流差動リレーのうち、第一電流差動リレー１０１は、送電線Ｌの保護区間の一端側に接続されており、第一電流差動リレー１０１の出力信号は、接点１１を介して、送電線に設置されている遮断器７に接続されている。送電線Ｌの保護区間の他端側に接続された第二電流差動リレー１０２も、第一電流差動リレー１０１と同様な構成を成している。第一電流差動リレー１０１は、送電線Ｌに設けられた電流トランス（ＣＴ）２を介して送電線Ｌに接続されている。第二電流差動リレー１０２も第一電流差動リレー１０１と同様に、ＣＴ２及び遮断器７を介して送電線Ｌに接続されており、第二電流差動リレー１０２の出力信号は、接点（不図示）を介して、送電線Ｌに設置されている遮断器７に接続されている。
【００１１】
また、第一電流差動リレー１０１は、フィルタ３、サンプリングホールド回路４、Ａ／Ｄ変換器５、差動演算部（演算部）８、ヒューマン・マシン・インターフェース（ＨＭＩ）部９、共通部１０、接点１１、伝送データ処理部１２、サンプリング同期制御処理部１３及び光インターフェース（Ｉ／Ｆ）部１４を備えて構成されている。
【００１２】
つぎに、電流差動リレーの動作について説明する。送電線ＬからＣＴ２を通じて第一電流差動リレー１０１に入力されたサンプリング電流データは、フィルタ３、サンプリングホールド回路４、Ａ／Ｄ変換器５、及び伝送データ処理部１２を経て所定の伝送フレームに載せられたデータとされ、その後、光Ｉ／Ｆ部１４、光ファイバ１５、Ｏ／Ｅ（光、電気信号変換器）１７、ケーブル１９、多重変換装置１６及び伝送路（光ファイバ）２０を介して第二電流差動リレー１０２に向けて送信される。
【００１３】
一方、第二電流差動リレー１０２によって検出され、光ファイバ２０を介して多重変換装置１６により受信したサンプリング電流データは、ケーブル１９、Ｅ／Ｏ（電気、光信号変換器）１８、光ファイバ１５、光Ｉ／Ｆ部１４を介して、伝送データ処理部１２に入力される。差動演算部８は、入力されたサンプリング電流データ、すなわち第一電流差動リレー１０１および第二電流差動リレー１０２でそれぞれ検出されたサンプリング電流の差電流を演算し、この差電流値が所定値を越えている場合に事故と判定して遮断器７に接点１１を介してその旨の信号を送信する。遮断器７は、この信号を受けて送電線Ｌに流れる電流を遮断する。
【００１４】
また、ＨＭＩ部９は、伝送データ処理部１２を経て取り込まれた第二電流差動リレー１０２からの伝送データを（図１中矢印Ａにて示されるように）入力して、このうち表示に関係するデータを抽出して、表示部１０３における正面パネル２３のＬＣＤ部２４やパーソナル・コンピュータ（ＰＣ）２１の画面上に表示する。つまり、ＨＭＩ部９は、正面パネル２３やＰＣ２１などの表示手段に表示を行うヒューマン・マシン・インターフェース手段を構成している。さらに、ＨＭＩ部９は、正面パネル２３の押し釦２２の操作入力やＰＣ２１の操作入力に基づく命令情報を（図１中矢印Ｂにて示されるように）伝送情報（所定の伝送フレームフォーマットに変換されている）に載せて第二電流差動リレー１０２に送信する。なお、第二電流差動リレー１０２についても、第一電流差動リレー１０１と同様な表示部１０３を有している。
【００１５】
図２から図５は、本実施の形態の伝送データの例を示す図であり、図２及び図４は、例えば第一電流差動リレー１０１から第二電流差動リレー１０２へ伝送される伝送データの一例を示し、図３及び図５は、第二電流差動リレー１０２から第一電流差動リレー１０１へ伝送される伝送データの一例を示している。
【００１６】
図２において、第一電流差動リレー１０１から第二電流差動リレー１０２へ伝送される伝送データＳ−１は、フレーム同期、サンプリング電流データの一部であるＡ相電流データ、Ｂ相電流データ、Ｃ相電流データ、所定の制御データ、及びＣＲＣからなるデータ列である。このデータ列は、所定のＣＨに割り当てられ、ＩＴＵ−Ｔ  Ｇ．７０４のフレームフォーマットに合わせ第二電流差動リレー１０２に向けて送信される。
【００１７】
図３において、第二電流差動リレー１０２から第一電流差動リレー１０１へ伝送される伝送データＲ−１は、フレーム同期、サンプリング電流データの一部であるＡ相電流データ、Ｂ相電流データ、Ｃ相電流データ、所定の制御データ、及びＣＲＣからなるデータ列である。このデータ列は、所定のＣＨに割り当てられ、ＩＴＵ−Ｔ  Ｇ．７０４のフレームフォーマットに合わせ第一電流差動リレー１０１に向けて送信される。つまり、上記伝送データＳ−１と同じ構成である。
【００１８】
上記伝送データＳ−１及び伝送データＲ−１は、従来と同じ電気角３０°で行うサンプリング電流データであり、第一電流差動リレー１０１と第二電流差動リレー１０２との間で常時相互に発信されている。なお、本実施の形態においては、このサンプリング電流データを、従来の５４Ｋｂｐｓ又は６４ｋｂｐｓの伝送路に替えて、２０４８ｋｂｐｓの伝送路を使用して伝送している。
【００１９】
ここで、ＩＴＵ−Ｔ  Ｇ．７０４の規格に基づく伝送フレームフォーマットについて簡単に説明する。図１２は、ＩＴＵ−Ｔ  Ｇ．７０４の規格に基づく伝送フレームフォーマットを示す図である。同図に示すように、この伝送フレームフォーマットでは、１フレーム長２５６ビットが１２５μｓの時間で送信される。このため、この伝送フレームによる伝送速度は、２５６／（１２５×１０−６）＝２０４８ｋｂｐｓとなる。また、この伝送フレームフォーマットでは、１フレームは３２分割された領域（チャネル）を有しており、これらの３２分割されたチャネルには、２５６／３２＝８ビットのデータが載せられることになる。なお、これらの３２のチャネルのうち、ＣＨ１〜ＣＨ３０からなるチャネルがデータ搭載可能な領域とされる。上記サンプリング電流データは、これらのデータ搭載可能領域（ＣＨ１〜ＣＨ３０）の所定のチャネルに載せられて送信される。
【００２０】
また、図４において、第一電流差動リレー１０１から第二電流差動リレー１０２へ伝送される伝送データＳ−３は、表示関連データ（伝送諸データ）の一つであって、相手電流差動リレーの整定値の送信を要求するＨＭＩ命令データ（整定値送信要求）である。このＨＭＩ命令データ（整定値送信要求）は、正面パネル２３の押し釦２２による所定の操作入力をトリガにしてＨＭＩ部９が自装置の伝送情報に載せて発信する。
【００２１】
図５において、第二電流差動リレー１０２から第一電流差動リレー１０１へ伝送される伝送データＲ−３及び伝送データＲ−４は、上記ＨＭＩ命令データ（整定値送信要求）を受けた第二電流差動リレー１０２のＨＭＩ部９が、その回答として発信される整定値であり、例えば表示関連データの一つとしてのＨＭＩ応答データ（整定値）である。
【００２２】
なお、上記表示関連データである伝送データＳ−３及び伝送データＲ−３、Ｒ−４は、サンプリング電流データが載せられていない領域（伝送フレームフォーマットの残りの部分）を用いて送信される。また、この種の整定値は情報量が多いので、本実施の形態においては、複数のデータブロックを使って送信する場合を一例として示している。
【００２３】
以上のように本実施の形態の電流差動リレーにおいては、従来の６４ｋｂｐｓに替えて、２０４８ｋｂｐｓの伝送データ処理部を使用して、２０４８ｋｂｐｓの伝送路上にて送信される図１２に示すようなＩＴＵ−Ｔ  Ｇ．７０４の規格に基づく伝送フレームフォーマットに載せて、サンプリング電流データを相互に常時発信するとともに、この伝送フレームフォーマットの残る領域を利用して、例えば、ＨＭＩ命令データ（整定値送信要求）及びＨＭＩ応答データ（整定値）などの表示関連データを送受信するので、サンプリング電流データと表示関連データとを同時に送受信することができる。
【００２４】
このように本実施の形態の電流差動リレーによれば、サンプリング電流データを伝送するための伝送フレームに載せて、サンプリング電流データ以外の表示関連データ（伝送諸データ）を伝送するので、新たに特別な監視制御システム等を設備することなく、また相手装置の設置場所に移動することなく、迅速に相手端末リレーの表示関連データを得ることができ、解析機能を向上させることができる。
【００２５】
なお、本実施の形態の第一電流差動リレー１０１と第二電流差動リレー１０２とは、光ファイバ１５、Ｏ／Ｅ（光、電気信号変換器）１７、Ｅ／Ｏ（電気、光信号変換器）１８、ケーブル１９、多重変換装置１６、及び光ファイバ２０を伝送路として接続されているが、第一電流差動リレー１０１と第二電流差動リレー１０２とを接続する伝送路は、光ファイバ１５、Ｏ／Ｅ（光、電気信号変換器）１７、Ｅ／Ｏ（電気、光信号変換器）１８、ケーブル１９、多重変換装置１６、及び光ファイバ２０に限られるものではなく、例えば、光Ｉ／Ｆ部１４と光ファイバ２０との直結でもよい。
【００２６】
また、本実施の形態の伝送データＳ−３及び伝送データＲ−３、Ｒ−４は、サンプリング電流データの送信に同期して、図１２に示す伝送フレームフォーマットのサンプリング電流データが搭載された以外の残る部分に載せられて送信されている。しかしながら、これら表示関連データである伝送データＳ−３及び伝送データＲ−３、Ｒ−４は、サンプリング電流データの送信に同期することなく、単独で図１２の伝送フレームフォーマットに載せられて送信されてもよい。
【００２７】
なお、本実施の形態では、サンプリング電流データや表示関連データを伝送速度が２０４８ｋｂｐｓの伝送路を用いて伝送することについて説明したが、伝送速度が２０４８ｋｂｐｓを超える伝送路を用いてもよいことは無論である。
【００２８】
実施の形態２．
図６及び図７は実施の形態２の伝送データの例を示す図であり、図６は例えば第一電流差動リレーから第二電流差動リレーへ伝送される伝送データの一例を示し、図７は第二電流差動リレーから第一電流差動リレーへ伝送される伝送データの一例を示す。
【００２９】
図６において、第一電流差動リレーから第二電流差動リレーへ伝送される伝送データＳ−４は、表示関連データの１つであって、相手電流差動リレーのイベントログの送信を要求するＨＭＩ命令データ（イベントログ送信要求）である。詳細には、伝送データＳ−４は、ＨＭＩ命令データの種別（Ｋｉｎｄ）により構成されている。このＨＭＩ命令データ（イベントログ送信要求）は、正面パネル２３の押し釦２２の操作やＰＣ２１の操作入力をトリガにして、ＨＭＩ部９が、自装置の伝送情報に載せて発信する。
【００３０】
図７において、第二電流差動リレーから第一電流差動リレーへ伝送される伝送データＲ−５、伝送データＲ−６、及び伝送データＲ−７は、上記ＨＭＩ命令データ（イベントログ送信要求）を受けた第二電流差動リレーのＨＭＩ部９が、その回答としてイベントログを発信する、表示関連データの一つとしてのＨＭＩ応答データ（イベントログ）である。イベントログは、ログ採取時間により情報量が異なり、その情報量に応じた数（本実施の形態においては３つ）のデータブロック（チャンネル）を使って送信される。伝送データＲ−５、伝送データＲ−６、及び伝送データＲ−７は、詳細には、ＨＭＩ命令データの種別（Ｋｉｎｄ）とこれに続く、イベントＮｏ．（ＥｖｔＮｏ．）及びイベント発生時刻から構成されている。
【００３１】
上記伝送データＳ−４、伝送データＲ−５、伝送データＲ−６及び伝送データＲ−７においても、実施の形態１の表示関連データと同じように、第一電流差動リレー相互間で常時発信されているサンプリング電流データを送信するための伝送フレームフォーマットの残る領域を使用して送信される。或いは、単独にて伝送フレームフォーマットに載せられて送信される。
【００３２】
このように本実施の形態の電流差動リレーによれば、サンプリング電流データを伝送するための伝送フレームに載せて、サンプリング電流データ以外の表示関連データ（伝送諸データ）すなわち、イベントログ送信要求及びイベントログを伝送するので、新たに特別な監視制御システム等を設備することなく、相手装置の設置場所に移動することなく、迅速に相手装置のイベントログを得ることができ、解析機能を向上させることができる。
【００３３】
実施の形態３．
上記のように、実施の形態１および２では、正面パネル２３の押し釦２２の操作やＰＣ２１の操作による命令情報とその応答情報として整定値やイベントログの情報が、図１２に示される２０４８ｋｂｐｓの伝送フレームフォーマットで相互に送受信され、そして表示装置に表示されている。
【００３４】
本実施の形態においては、リレー要素の状態や装置入出力信号の情報が、図１２に示される２０４８ｋｂｐｓの伝送フレームフォーマットで相互に送受信される。このリレー要素の状態や装置入出力信号の情報は、送信されたのち相手の自電流差動リレーに保存される。そして、このリレー要素の状態や装置入出力信号の情報は、必要に応じて正面パネル２３や押し釦２２にて確認できるようにされている。
【００３５】
このように相手装置のリレー要素の状態や装置入出力信号の情報を保存し、必要に応じて表示できるようにすることで、事故検出時などのリレー動作の解析機能を向上させることができる。
【００３６】
実施の形態４．
実施の形態４では、ＨＭＩ部９の命令情報とその応答情報として、計測値情報（電圧・電流・位相・有効電力・無効電力・力率・差動電流・抑制電流他）の情報が、図１２に示される２０４８ｋｂｐｓの伝送フレームフォーマットで相互に送受信されて表示される。
【００３７】
このように構成することで、必要に応じて相手電流差動リレーの計測値情報を表示することができるので、システムの状態を把握する際に容易である。
【００３８】
実施の形態５．
実施の形態５では、ＨＭＩ部９の命令情報とその応答情報として、ソフトウェアのバージョン情報が、図１２に示される２０４８ｋｂｐｓの伝送フレームフォーマットで相互に送受信されて表示される。
【００３９】
このように構成することで、必要に応じて相手電流差動リレーのソフトウェアのバージョン情報を表示することができるので、システムを管理する上で便利である。
【００４０】
実施の形態６．
実施の形態６では、正面パネル２３の押し釦２２の操作やＰＣ２１の操作により相手電流差動リレーの整定値の設定を行う。図８において、第一電流差動リレーから第二電流差動リレーへ伝送される伝送データＳ−５及びＳ−６は、表示関連データの一つであって、相手電流差動リレーに所定の整定値の設定を要求するＨＭＩ命令データ（整定値設定要求）である。詳細には、伝送データＳ−５及びＳ−６は、ＨＭＩ命令データの種別（Ｋｉｎｄ）とこれに続く、各項目の整定値からなる。このＨＭＩ命令データ（整定値設定要求）は、ＰＣ２１から入力されたデータをＨＭＩ部９が取り込んで発信する。
【００４１】
また、図９において、第二電流差動リレーから第一電流差動リレーへ伝送される伝送データＲ−８は、上記ＨＭＩ命令データ（整定値設定要求）を受けた第二電流差動リレーのＨＭＩ部９が、それに応じて整定値を設定したのち、その設定結果を回答として発信する、表示関連データの一つとしてのＨＭＩ応答データ（整定値設定結果）である。詳細には、伝送データＲ−８は、ＨＭＩ応答データの種別（Ｋｉｎｄ）と、これに続く整定値の設定結果からなる。ＨＭＩ部９は、ＨＭＩ応答データ（整定値設定結果）を受けて、整定値設定結果をＰＣ２１に表示する。
【００４２】
このように本実施の形態の電流差動リレーによれば、サンプリング電流データを伝送するための伝送フレームに載せて、整定値設定要求を伝送して、相手装置の整定値を設定するので、新たに特別な通信媒体を設備することなく、相手装置の設置場所に移動することなく、迅速に相手装置の整定値の設定をすることができ、システムの運用を容易にする。
【００４３】
実施の形態７．
図１０はこの発明にかかる電流差動リレーの実施の形態７のシステム構成図である。第一電流差動リレー１０１の共通部（第一時刻同期手段）１０は、ＧＰＳ衛星５０から時刻情報を受信するＧＰＳ受信機５１に接続されている。この共通部１０は、ＧＰＳ衛星５０からの時刻情報を入力し、自装置のシステム時刻をＧＰＳ時刻に時刻同期させる処理を行う。さらに共通部１０は、受信した時刻情報を（図１０中矢印Ｃにて示されるように）伝送情報に載せて相手装置である第二電流差動リレー１０２に送信する。これにより、第二電流差動リレー１０２の共通部（第二時刻同期手段：図示省略）は、この時刻情報により時刻同期処理を行う。
【００４４】
また、図１１において、第一電流差動リレー１０１から第二電流差動リレー１０２へ伝送される伝送データＳ−７およびＳ−８は、相手電流差動リレーの時刻同期処理を要求するＨＭＩ命令データ（時刻情報）である。詳細には、伝送データＳ−７は、ＨＭＩ命令データの種別（Ｋｉｎｄ）と、これに続く時刻１（積算秒：Ｌ）、時刻２（積算秒：Ｈ）、時刻３（μ秒：Ｌ）、時刻４（μ秒：Ｈ）から構成されている。また、伝送データＳ−８は、ＨＭＩ命令データの種別（Ｋｉｎｄ）と、これに続く時刻５（フラグ他）から構成されている。
【００４５】
また、本実施の形態では、ＧＰＳ受信機５１から取得した時刻情報を用いて時刻同期処理を行う実施形態について説明したが、ＧＰＳ受信機５１以外から取得した時刻情報を用いることでもよく、例えば放送局や電波時計などの時刻情報や、正面パネル２３やＰＣ２１から入力された時刻情報を用いてもよい。
【００４６】
このように、本実施の形態の電流差動リレーによれば、サンプリング電流データを伝送するための伝送フレームに載せて、時刻同期を行うための時刻情報を相手装置に伝送するので、第一電流差動リレーと第二電流差動リレーとの時刻同期処理を容易に行うことができる。
【産業上の利用可能性】
【００４７】
以上のように、本発明にかかる電流差動リレーは、送電線の保護区間の両端に電流差動リレーがそれぞれ設けられ、各電流差動リレーは相互に伝送路で接続され、各電流差動リレーが、送電線のサンプリング電流データを伝送路を介して相互に伝送して、サンプリング電流の差電流を求めて保護区間内の事故を検出する電流差動リレーに適用されて有用であり、特に、相手装置の電流差動リレーが行くのに困難な場所にあるような電流差動リレーに最適なものである。
【図面の簡単な説明】
【００４８】
【図１】この発明にかかる電流差動リレーの実施の形態１のシステム構成図である。
【図２】第一電流差動リレーから第二電流差動リレーへ伝送されるサンプリング電流データの伝送フレームを示す図である。
【図３】第二電流差動リレーから第一電流差動リレーへ伝送されるサンプリング電流データの伝送フレームを示す図である。
【図４】実施の形態１の第一電流差動リレーから第二電流差動リレーへ伝送されるＨＭＩ命令データ（整定値送信要求）の伝送フレームを示す図である。
【図５】実施の形態１の第二電流差動リレーから第一電流差動リレーへ伝送されるＨＭＩ応答データ（整定値）の伝送フレームを示す図である。
【図６】実施の形態２の第一電流差動リレーから第二電流差動リレーへ伝送されるＨＭＩ命令データ（イベントログ送信要求）の伝送フレームを示す図である。
【図７】実施の形態２の第二電流差動リレーから第一電流差動リレーへ伝送されるＨＭＩ応答データ（イベントログ）の伝送フレームを示す図である。
【図８】実施の形態６の第一電流差動リレーから第二電流差動リレーへ伝送されるＨＭＩ命令データ（整定値設定要求）の伝送フレームを示す図である。
【図９】実施の形態６の第二電流差動リレーから第一電流差動リレーへ伝送されるＨＭＩ応答データ（整定値設定結果）の伝送フレームを示す図である。
【図１０】はこの発明にかかる電流差動リレーの実施の形態７のシステム構成図である。
【図１１】実施の形態７の第一電流差動リレーから第二電流差動リレーへ伝送されるＨＭＩ命令データ（時刻情報）の伝送フレームを示す図である。
【図１２】ＩＴＵ−Ｔ  Ｇ．７０４の規格に基づく伝送フレームフォーマットを示す図である。
【符号の説明】
【００４９】
２  電流トランス（ＣＴ）
３  フィルタ
４  サンプリングホールド回路
５  Ａ／Ｄ変換器
７  遮断器
８  差動演算部（演算部）
９  ヒューマン・マシン・インターフェース（ＨＭＩ）部
１０  共通部（第一時刻同期部）
１１  接点
１２  伝送データ処理部
１３  サンプリング同期制御処理部
１４  光インターフェース（Ｉ／Ｆ）部
１５  光ファイバ
１６  多重変換装置
１７  Ｏ／Ｅ（光、電気信号変換器）
１８  Ｅ／Ｏ（電気、光信号変換器）
１９  ケーブル
２０  光ファイバ
２１  パーソナル・コンピュータ（ＰＣ）
２２  押し釦
２３  正面パネル
２４  ＬＣＤ部
１０１  第一電流差動リレー
１０２  第二電流差動リレー
１０３  表示部
【図１】
2009027909.tif 000003
【図２】
2009027909.tif 000004
【図３】
2009027909.tif 000005
【図４】
2009027909.tif 000006
【図５】
2009027909.tif 000007
【図６】
2009027909.tif 000008
【図７】
2009027909.tif 000009
【図８】
2009027909.tif 000010
【図９】
2009027909.tif 000011
【図１０】
2009027909.tif 000012
【図１１】
2009027909.tif 000013
【図１２】
2009027909.tif 000014
【手続補正書】
【提出日】平成20年6月19日(2008.6.19)
【手続補正１】
【補正対象書類名】特許請求の範囲
【補正対象項目名】請求項１
【補正方法】変更
【補正の内容】
【請求項１】
送電線の保護区間の一端に設置される電流差動リレーにおいて、
前記送電線の前記一端に流れる電流をサンプリングすることによって得られる第１のサンプリング電流データを所定の伝送路を介して、前記送電線の保護区間の他端に設置される他の電流差動リレーに送信する送信処理と、前記送電線の前記他端に流れる電流をサンプリングすることによって得られる第２のサンプリング電流データを前記他の電流差動リレーから該伝送路を介して受信する受信処理と、を行う伝送データ処理部と、
前記第１のサンプリング電流データと前記第２のサンプリング電流データとの差電流であって、前記保護区間内の事故の有無を検出するのに用いられる前記差電流を演算する差動演算部と、
表示部を介して情報授受を可能とするヒューマン・マシン・インターフェース部と、
を備え、
前記伝送路は、２０４８ｋｂｐｓ以上の伝送速度を有し、
前記伝送データ処理部は、前記伝送路で用いられる伝送フレームに前記第１のサンプリング電流データを載せて伝送するとともに、該第１のサンプリング電流データが載せられた前記伝送フレームの残りの領域を利用して前記ヒューマン・マシン・インターフェース部から発信される表示関連データを伝送することを特徴とする電流差動リレー。
【手続補正２】
【補正対象書類名】明細書
【補正対象項目名】０００１
【補正方法】変更
【補正の内容】
【０００１】
本発明は、送電線の保護区間の各端に設けられ、送電線に流れる電流をサンプリングして得られる自端のサンプリング電流データを所定の伝送路を介して相手端に送信するとともに、送電線に流れる電流をサンプリングして得られる相手端のサンプリング電流データを当該伝送路を介して受信し、自端が検出したサンプリング電流データと相手端から伝送されたサンプリング電流データとの差電流を求めて保護区間内の事故を検出する電流差動リレーに関するものである。
【手続補正３】
【補正対象書類名】明細書
【補正対象項目名】０００７
【補正方法】変更
【補正の内容】
【０００７】
上述した課題を解決し、目的を達成するため、本発明の電流差動リレーは、送電線の保護区間の一端に設置される電流差動リレーにおいて、前記送電線の前記一端に流れる電流をサンプリングすることによって得られる第１のサンプリング電流データを所定の伝送路を介して、前記送電線の保護区間の他端に設置される他の電流差動リレーに送信する送信処理と、前記送電線の前記他端に流れる電流をサンプリングすることによって得られる第２のサンプリング電流データを前記他の電流差動リレーから該伝送路を介して受信する受信処理と、を行う伝送データ処理部と、前記第１のサンプリング電流データと前記第２のサンプリング電流データとの差電流であって、前記保護区間内の事故の有無を検出するのに用いられる前記差電流を演算する差動演算部と、表示部を介して情報授受を可能とするヒューマン・マシン・インターフェース部と、を備え、前記伝送路は、２０４８ｋｂｐｓ以上の伝送速度を有し、前記伝送データ処理部は、前記伝送路で用いられる伝送フレームに前記第１のサンプリング電流データを載せて伝送するとともに、該第１のサンプリング電流データが載せられた前記伝送フレームの残りの領域を利用して前記ヒューマン・マシン・インターフェース部から発信される表示関連データを伝送することを特徴とする。